(57)【要約】【課題】１０ＧのＮ倍の周波数の１０Ｎ  ＧｂＥ光信号の送受信動作をＮ個の１０ＧｂＥ波長変換部にて実現する場合、光ファイバの誤接続が容易に検出可能な波長分割多重光送受信装置を提供する。【解決手段】クライアント装置２００からの１０ＧのＮ倍例えば１０倍の周波数の１００ＧｂＥ光信号を、１００ＧｂＥ＜−＞１０ＧｂＥ変換部１００により１０個の１０ＧｂＥ光信号に変換して１０本の１０ＧｂＥ装置内光ファイバ１４０Ａ〜１４９Ａを介して１０ＧｂＥ波長変換部１２０〜１２９に入力する際に、１０ＧｂＥ光信号それぞれを、１００ＧｂＥ光信号を構成する２Ｎ個のＰＣＳレーン信号それぞれに固有に割り当てたＰＣＳレーン番号によりグループ化した２個ずつのＰＣＳレーン信号をブロック多重した信号で構成し、１０ＧｂＥ光信号それぞれに割り当てた２個ずつのＰＣＳレーン番号に１対１に対応付けた１本の１０ＧｂＥ装置内光ファイバを介して送出する。【選択図】        図１
2012023586.tif 000002
【特許請求の範囲】
【請求項１】
クライアント装置から送信されてくる１０ＧｂＥ（１０ Gigabit Ethernet）光信号のＮ倍（Ｎ：正整数）の周波数からなる１０Ｎ  ＧｂＥ光信号を、１０Ｎ  ＧｂＥ＜−＞１０ＧｂＥ変換部によりＮ個の１０ＧｂＥ光信号に変換してＮ本の１０ＧｂＥ装置内光ファイバを介してＮ個の１０ＧｂＥ波長変換部に入力することによりＮ個の波長分割多重（ＷＤＭ：Wavelength Division Multiplexing）光信号に変換して対向装置に対してＮ本の装置間光ファイバを介して送信し、かつ、該対向装置からＮ本の前記装置間光ファイバを介して送信されてくるＮ個の波長分割多重光信号をＮ個の前記１０ＧｂＥ波長変換部に入力して変換したＮ個の１０ＧｂＥ光信号を、Ｎ本の前記１０ＧｂＥ装置内光ファイバを介して前記１０Ｎ  ＧｂＥ＜−＞１０ＧｂＥ変換部に入力することにより１０Ｎ  ＧｂＥ光信号に変換して前記クライアント端末に送信する波長分割多重光送受信装置であって、前記１０Ｎ  ＧｂＥ＜−＞１０ＧｂＥ変換部とＮ個の前記１０ＧｂＥ波長変換部との間を接続するＮ本の前記１０ＧｂＥ装置内光ファイバそれぞれを介して送受信されるＮ個の前記１０ＧｂＥ光信号それぞれを、前記１０Ｎ  ＧｂＥ光信号を構成する２Ｎ個のＰＣＳ（Physical Coding Sublayer）レーン信号それぞれに固有に割り当てたＰＣＳレーン番号に基づいてグループ化した２個ずつのＰＣＳレーン信号をブロック多重した信号によって構成し、Ｎ本の前記１０ＧｂＥ装置内光ファイバのうち、前記１０ＧｂＥ光信号それぞれに割り当てた２個ずつの前記ＰＣＳレーン番号に１対１に対応付けた前記１０ＧｂＥ装置内光ファイバを介して送受信することを特徴とする波長分割多重光送受信装置。
【請求項２】
前記１０Ｎ  ＧｂＥ＜−＞１０ＧｂＥ変換部における送信側ＰＣＳ処理として、それぞれが２個の前記ＰＣＳレーン信号からなるＮ個の前記１０ＧｂＥ光信号それぞれに対して、２個の前記ＰＣＳレーン信号それぞれに固有に割り当てられている前記ＰＣＳレーン番号を付して、Ｎ本の前記１０ＧｂＥ装置内光ファイバのうち、２個の前記ＰＣＳレーン番号に１対１に対応付けられた１本の前記１０ＧｂＥ装置内光ファイバを介して前記１０ＧｂＥ光信号をそれぞれ送出することにより、Ｎ個の前記１０ＧｂＥ波長変換部それぞれによりＮ個の前記波長分割多重光信号に変換してＮ本の前記装置間光ファイバを介して前記対向装置へ送信することを特徴とする請求項１に記載の波長分割多重光送受信装置。
【請求項３】
前記１０Ｎ  ＧｂＥ＜−＞１０ＧｂＥ変換部における受信側ＰＣＳ処理として、前記対向装置からＮ本の前記装置間光ファイバを介して受信したＮ個の前記波長分割多重光信号を変換してＮ本の前記１０ＧｂＥ装置内光ファイバそれぞれを介して送信されてくるＮ個の前記１０ＧｂＥ光信号それぞれに付されている前記ＰＣＳレーン番号と、前記送信側ＰＣＳ処理としてＮ本の前記装置間光ファイバそれぞれと１対１に対応付けてＮ個の前記１０ＧｂＥ光信号それぞれに対して割り当てられている前記ＰＣＳレーン番号とを照合して、一致していない場合、前記１０ＧｂＥ装置内光ファイバまたは前記装置間光ファイバに誤接続がある旨の警報を保守者に対して発出することを特徴とする請求項２に記載の波長分割多重光送受信装置。
【請求項４】
前記１０Ｎ  ＧｂＥ光信号が、１００ＧｂＥ光信号または４０ＧｂＥ光信号であることを特徴とする請求項１ないし３のいずれかに記載の波長分割多重光送受信装置。
【請求項５】
クライアント装置から送信されてくる１０ＧｂＥ（１０ Gigabit Ethernet）光信号のＮ倍（Ｎ：正整数）の周波数からなる１０Ｎ  ＧｂＥ光信号を、１０Ｎ  ＧｂＥ＜−＞１０ＧｂＥ変換部によりＮ個の１０ＧｂＥ光信号に変換してＮ本の１０ＧｂＥ装置内光ファイバを介してＮ個の１０ＧｂＥ波長変換部に入力することによりＮ個の波長分割多重（ＷＤＭ：Wavelength Division Multiplexing）光信号に変換して対向装置に対してＮ本の装置間光ファイバを介して送信し、かつ、該対向装置からＮ本の前記装置間光ファイバを介して送信されてくるＮ個の波長分割多重光信号をＮ個の前記１０ＧｂＥ波長変換部に入力して変換したＮ個の１０ＧｂＥ光信号を、Ｎ本の前記１０ＧｂＥ装置内光ファイバを介して前記１０Ｎ  ＧｂＥ＜−＞１０ＧｂＥ変換部に入力することにより１０Ｎ  ＧｂＥ光信号に変換して前記クライアント端末に送信する波長分割多重光送受信装置における前記１０ＧｂＥ装置内光ファイバまたは前記装置間光ファイバの誤接続を検出する光ファイバ誤接続検出方法であって、前記１０Ｎ  ＧｂＥ＜−＞１０ＧｂＥ変換部とＮ個の前記１０ＧｂＥ波長変換部との間を接続するＮ本の前記１０ＧｂＥ装置内光ファイバそれぞれを介して送受信されるＮ個の前記１０ＧｂＥ光信号それぞれを、前記１０Ｎ  ＧｂＥ光信号を構成する２Ｎ個のＰＣＳ（Physical Coding Sublayer）レーン信号それぞれに固有に割り当てたＰＣＳレーン番号に基づいてグループ化した２個ずつのＰＣＳレーン信号をブロック多重した信号によって構成し、Ｎ本の前記１０ＧｂＥ装置内光ファイバのうち、前記１０ＧｂＥ光信号それぞれに割り当てた２個ずつの前記ＰＣＳレーン番号に１対１に対応付けた前記１０ＧｂＥ装置内光ファイバを介して送受信することにより、前記１０ＧｂＥ装置内光ファイバまたは前記装置間光ファイバの誤接続を検出することを特徴とする光ファイバ誤接続検出方法。
【請求項６】
前記１０Ｎ  ＧｂＥ＜−＞１０ＧｂＥ変換部における送信側ＰＣＳ処理として、それぞれが２個の前記ＰＣＳレーン信号からなるＮ個の前記１０ＧｂＥ光信号それぞれに対して、２個の前記ＰＣＳレーン信号それぞれに固有に割り当てられている前記ＰＣＳレーン番号を付して、Ｎ本の前記１０ＧｂＥ装置内光ファイバのうち、２個の前記ＰＣＳレーン番号に１対１に対応付けられた１本の前記１０ＧｂＥ装置内光ファイバを介して前記１０ＧｂＥ光信号をそれぞれ送出することにより、Ｎ個の前記１０ＧｂＥ波長変換部それぞれによりＮ個の前記波長分割多重光信号に変換してＮ本の前記装置間光ファイバを介して前記対向装置へ送信することを特徴とする請求項５に記載の光ファイバ誤接続検出方法。
【請求項７】
前記１０Ｎ  ＧｂＥ＜−＞１０ＧｂＥ変換部における受信側ＰＣＳ処理として、前記対向装置からＮ本の前記装置間光ファイバを介して受信したＮ個の前記波長分割多重光信号を変換してＮ本の前記１０ＧｂＥ装置内光ファイバそれぞれを介して送信されてくるＮ個の前記１０ＧｂＥ光信号それぞれに付されている前記ＰＣＳレーン番号と、前記送信側ＰＣＳ処理としてＮ本の前記装置間光ファイバそれぞれと１対１に対応付けてＮ個の前記１０ＧｂＥ光信号それぞれに対して割り当てられている前記ＰＣＳレーン番号とを照合して、一致していない場合、前記１０ＧｂＥ装置内光ファイバまたは前記装置間光ファイバに誤接続がある旨の警報を保守者に対して発出することを特徴とする請求項６に記載の光ファイバ誤接続検出方法。
【請求項８】
前記１０Ｎ  ＧｂＥ光信号が、１００ＧｂＥ光信号または４０ＧｂＥ光信号であることを特徴とする請求項５ないし７のいずれかに記載の光ファイバ誤接続検出方法。
【発明の詳細な説明】
【技術分野】
【０００１】
本発明は、波長分割多重光送受信装置および光ファイバ誤接続検出方法に関する。
【背景技術】
【０００２】
近年の情報伝送の大容量化に伴い、波長分割多重光伝送システムとしてさらなる高速化が求められており、１００Ｇｂｐｓ光伝送システムや４０Ｇｂｐｓ光伝送システムの研究開発が進められている。１００Ｇｂｐｓ光伝送システムにおいては、１００ＧｂＥ（１００Gigabit Ethernet（登録商標））光トランシーバをインターフェースとして有する１００ＧｂＥ対応の波長分割多重（ＷＤＭ：Wavelength Division Multiplexing）信号用の光トランシーバ（すなわち１００ＧｂＥ波長変換部）が必要となるが、誤り訂正符号処理、光電変換処理、長距離光伝送等を実現するために、実現難易度の高い光／電気部品が必要である。
【０００３】
かくのごとき１００ＧｂＥ対応の波長分割多重信号用の光トランシーバの実現方式としては、デジタルコヒーレント受信技術が有力視されているが、従来の１０Ｇｂｐｓ波長分割多重信号用の光トランシーバにおいて使用されてきた２値の強度変調方式の受信技術と比較して、構成が複雑化しており、技術的な難易度が高く、実用化するための課題が複数存在する。
【０００４】
このため、１００ＧｂＥ対応の波長分割多重信号光トランシーバにおける前述のような実現難易度の高い技術が実用化されるまでの間は、例えば、特許文献１の特開２０１０−５０８０３号公報「光伝送システム」にも記載されているように、既に商用化が実施されている１０ＧｂＥ光伝送技術を使用して、１００Ｇｂｐｓの長距離光伝送を１０ＧｂＥ光伝送×１０個として実現することが有効である。このように、１００ＧｂＥ光伝送を１０ＧｂＥ光伝送×１０個を利用して実現する場合、例えば、既に１０ＧｂＥ伝送用設備（つまり１０ＧｂＥ波長変換部）を有している環境下においては、１００ＧｂＥ光信号と１０ＧｂＥ光信号とを双方向に変換する１００ＧｂＥ＜−＞１０ＧｂＥ変換部のみを新規に開発して追加することによって、１００ＧｂＥ長距離伝送を実現することができ、投資コストを抑えることにもなり、好ましい。
【先行技術文献】
【特許文献】
【０００５】
【特許文献１】特開２０１０−５０８０３号公報（第１１−１２頁）
【発明の概要】
【発明が解決しようとする課題】
【０００６】
しかし、１００ＧｂＥ＜−＞１０ＧｂＥ変換部と１０ＧｂＥ波長変換部との間の接続用として、１０本の装置内光ファイの接続が必要となり、かつ、波長分割多重光送受信装置間を相互に接続するためにも１０本の装置間光ファイバ（波長分割多重光信号伝送路：ＷＤＭ伝送路）が必要となり、光ファイバの接続が煩雑化し、光ファイバの誤接続を招く恐れがする。そこで、光ファイバの接続状態を監視することにより、このような誤接続を検出する仕組みが必要となる。
【０００７】
（本発明の目的）
本発明は、かかる事情に鑑みてなされたものであり、その目的とするところは、１０ＧｂＥのＮ倍の周波数からなる１０Ｎ  ＧｂＥ光信号の波長分割多重光送受信装置をＮ個の１０ＧｂＥ波長変換部（１０ＧｂＥ波長分割多重光信号用の光トランシーバ）を用いて実現する場合に、光ファイバの誤接続を容易に検出することが可能な波長分割多重光送受信装置および光ファイバ誤接続検出方法を提供することにある。
【課題を解決するための手段】
【０００８】
前述の課題を解決するため、本発明による波長分割多重光送受信装置および光ファイバ誤接続検出方法は、主に、次のような特徴的な構成を採用している。
【０００９】
（１）本発明による波長分割多重光送受信装置は、クライアント装置から送信されてくる１０ＧｂＥ（１０ Gigabit Ethernet）光信号のＮ倍（Ｎ：正整数）の周波数からなる１０Ｎ  ＧｂＥ光信号を、１０Ｎ  ＧｂＥ＜−＞１０ＧｂＥ変換部によりＮ個の１０ＧｂＥ光信号に変換してＮ本の１０ＧｂＥ装置内光ファイバを介してＮ個の１０ＧｂＥ波長変換部に入力することによりＮ個の波長分割多重（ＷＤＭ：Wavelength Division Multiplexing）光信号に変換して対向装置に対してＮ本の装置間光ファイバを介して送信し、かつ、該対向装置からＮ本の前記装置間光ファイバを介して送信されてくるＮ個の波長分割多重光信号をＮ個の前記１０ＧｂＥ波長変換部に入力して変換したＮ個の１０ＧｂＥ光信号を、Ｎ本の前記１０ＧｂＥ装置内光ファイバを介して前記１０Ｎ  ＧｂＥ＜−＞１０ＧｂＥ変換部に入力することにより１０Ｎ  ＧｂＥ光信号に変換して前記クライアント端末に送信する波長分割多重光送受信装置であって、前記１０Ｎ  ＧｂＥ＜−＞１０ＧｂＥ変換部とＮ個の前記１０ＧｂＥ波長変換部との間を接続するＮ本の前記１０ＧｂＥ装置内光ファイバそれぞれを介して送受信されるＮ個の前記１０ＧｂＥ光信号それぞれを、前記１０Ｎ  ＧｂＥ光信号を構成する２Ｎ個のＰＣＳ（Physical Coding Sublayer）レーン信号それぞれに固有に割り当てたＰＣＳレーン番号に基づいてグループ化した２個ずつのＰＣＳレーン信号をブロック多重した信号によって構成し、Ｎ本の前記１０ＧｂＥ装置内光ファイバのうち、前記１０ＧｂＥ光信号それぞれに割り当てた２個ずつの前記ＰＣＳレーン番号に１対１に対応付けた前記１０ＧｂＥ装置内光ファイバを介して送受信することを特徴とする。
【００１０】
（２）本発明による光ファイバ誤接続検出方法は、クライアント装置から送信されてくる１０ＧｂＥ（１０ Gigabit Ethernet）光信号のＮ倍（Ｎ：正整数）の周波数からなる１０Ｎ  ＧｂＥ光信号を、１０Ｎ  ＧｂＥ＜−＞１０ＧｂＥ変換部によりＮ個の１０ＧｂＥ光信号に変換してＮ本の１０ＧｂＥ装置内光ファイバを介してＮ個の１０ＧｂＥ波長変換部に入力することによりＮ個の波長分割多重（ＷＤＭ：Wavelength Division Multiplexing）光信号に変換して対向装置に対してＮ本の装置間光ファイバを介して送信し、かつ、該対向装置からＮ本の前記装置間光ファイバを介して送信されてくるＮ個の波長分割多重光信号をＮ個の前記１０ＧｂＥ波長変換部に入力して変換したＮ個の１０ＧｂＥ光信号を、Ｎ本の前記１０ＧｂＥ装置内光ファイバを介して前記１０Ｎ  ＧｂＥ＜−＞１０ＧｂＥ変換部に入力することにより１０Ｎ  ＧｂＥ光信号に変換して前記クライアント端末に送信する波長分割多重光送受信装置における前記１０ＧｂＥ装置内光ファイバまたは前記装置間光ファイバの誤接続を検出する光ファイバ誤接続検出方法であって、前記１０Ｎ  ＧｂＥ＜−＞１０ＧｂＥ変換部とＮ個の前記１０ＧｂＥ波長変換部との間を接続するＮ本の前記１０ＧｂＥ装置内光ファイバそれぞれを介して送受信されるＮ個の前記１０ＧｂＥ光信号それぞれを、前記１０Ｎ  ＧｂＥ光信号を構成する２Ｎ個のＰＣＳ（Physical Coding Sublayer）レーン信号それぞれに固有に割り当てたＰＣＳレーン番号に基づいてグループ化した２個ずつのＰＣＳレーン信号をブロック多重した信号によって構成し、Ｎ本の前記１０ＧｂＥ装置内光ファイバのうち、前記１０ＧｂＥ光信号それぞれに割り当てた２個ずつの前記ＰＣＳレーン番号に１対１に対応付けた前記１０ＧｂＥ装置内光ファイバを介して送受信することにより、前記１０ＧｂＥ装置内光ファイバまたは前記装置間光ファイバの誤接続を検出することを特徴とする。
【発明の効果】
【００１１】
本発明の波長分割多重光送受信装置および光ファイバ誤接続検出方法によれば、以下のような効果を奏することができる。
【００１２】
すなわち、Ｎ個（Ｎ：正整数）の１０ＧｂＥ波長変換部を用いて１０Ｎ  ＧｂＥ波長分割多重光送受信装置を構成する場合、１０Ｎ  ＧｂＥ光信号を構成する２Ｎ個のＰＣＳレーン（Physical Coding Sublayer）信号それぞれに割り当てられているＰＣＳレーン番号に基づいて２個ずつブロック多重したＰＣＳレーン信号からなるＮ個の１０ＧｂＥ光信号を構成し、かつ、Ｎ個の１０ＧｂＥ光信号それぞれを送受信するＮ本の１０ＧｂＥ装置内光ファイバと、該１０ＧｂＥ装置内光ファイバそれぞれを介して送受信される１０ＧｂＥ光信号それぞれに割り当てたＰＣＳレーン番号との１対１の対応付けを行うことによって、各装置内光ファイバおよび各装置間光ファイバ（ＷＤＭ伝送路）を介して送受信される１０ＧｂＥ光信号および波長分割多重（ＷＤＭ）光信号に付されているＰＣＳレーン番号の照合処理においてＰＣＳレーン番号の不一致が検出されるか否かに基づいて、１０ＧｂＥ装置内光ファイバや装置間光ファイバ(ＷＤＭ伝送路)の誤接続を容易に検出することが可能であり、誤接続が検出された場合、その旨を示す警報を保守者に対して即時に発出することができる。
【図面の簡単な説明】
【００１３】
【図１】本発明に係る波長分割多重光送受信装置の装置構成の一例を示す構成図である。
【図２】図１に示す波長分割多重光送受信装置における１００ＧｂＥ＜−＞１０ＧｂＥ変換部の１００ＧｂＥ送信側ＰＣＳ処理部および１００ＧｂＥ受信側ＰＣＳ処理部の内部構成の一例を示すブロック構成図である。
【図３】図１に示す波長分割多重光送受信装置における１００ＧｂＥ＜−＞１０ＧｂＥ変換部と１０個の１０ＧｂＥ波長変換部との間を接続する１０本の１０ＧｂＥ装置内光ファイバのいずれかに誤接続があった場合の動作の一例を説明するための説明図である。
【発明を実施するための形態】
【００１４】
以下、本発明による波長分割多重光送受信装置および光ファイバ誤接続検出方法の好適な実施形態について添付図を参照して説明する。
【００１５】
（本発明の特徴）
本発明の実施形態の説明に先立って、本発明の特徴についてその概要をまず説明する。本発明は、現在実用化されている１０ＧｂＥ（１０Gigabit Ethernet）光伝送システムにおける１０ＧｂＥ光信号のＮ倍（Ｎ：正整数）の周波数からなる１０Ｎ  ＧｂＥ光信号を対象とする波長分割多重光送受信装置を実現する場合に、１０Ｎ  ＧｂＥ光信号をＮ個の１０ＧｂＥ光信号に変換し、変換したＮ個の１０ＧｂＥ光信号をＮ本の１０ＧｂＥ光信号送受信用の１０ＧｂＥ装置内光ファイバを介して、Ｎ個の実用化済みの１０ＧｂＥ波長変換部に送出することによって、Ｎ個の波長分割多重（ＷＤＭ：Wavelength Division Multiplexing）信号に変換して、対向装置との間で送受信を行う仕組みを構築する際に、前記１０ＧｂＥ装置内光ファイバや対向装置との間を接続する装置間光ファイバ（ＷＤＭ伝送路）の誤接続を容易に検出することを可能としたことを、主要な特徴としている。例えば、現在、ＩＥＥＥ（Institute of Electrical and Electronics Engineers)８０２.３ｂａにおいて規格化が検討されている１００ＧｂＥ（１００Gigabit Ethernet：１００ギガビット・イーサネット)光信号の場合、１００ＧｂＥ光信号を、１００ＧｂＥ＜−＞１０ＧｂＥ変換部にて、既に実用化されている１０ＧｂＥ（１０Gigabit Ethernet：１０Ｇビット・イーサネット）相当の光信号に変換し、変換後の１０個の１０ＧｂＥ信号を１０ＧｂＥ波長変換部にて波長変換する波長分割多重光送受信装置において、１００ＧｂＥ＜−＞１０ＧｂＥ変換部と１０ＧｂＥ波長変換部との間を接続する装置内光ファイバおよび対向装置との間を接続する装置間光ファイバ（ＷＤＭ伝送路）の誤接続を容易に検出することを可能としたことを、主要な特徴としている。
【００１６】
つまり、本発明においては、波長分割多重光送受信装置は、１個の１０Ｎ  ＧｂＥ＜−＞１０ＧｂＥ変換部とＮ個の１０ＧｂＥ波長変換部とから構成され、１個の１０Ｎ  ＧｂＥ＜−＞１０ＧｂＥ変換部とＮ個の１０ＧｂＥ波長変換部との間をＮ本の１０ＧｂＥ装置内光ファイバによって接続する場合において、送信側ＰＣＳ（Physical Coding Sublayer）処理として、１０Ｎ  ＧｂＥ光信号を構成する２Ｎ個のＰＣＳレーン信号のうちの２個と、Ｎ本の１０ＧｂＥ装置内光ファイバのうちの１本とを、各ＰＣＳレーン信号に割り当てられているＰＣＳレーン番号によって１対１に対応付け、対応付けた２個のＰＣＳレーン信号からなる１０ＧｂＥ信号を、それぞれの１０ＧｂＥ装置内光ファイバに振り分ける手段を有している。また、受信側ＰＣＳ処理として、Ｎ個の１０ＧｂＥ波長変換部からＮ本の１０ＧｂＥ装置内光ファイバそれぞれを介して送出されてくるＮ個の１０ＧｂＥ信号それぞれに付されているＰＣＳレーン番号が、送信側ＰＣＳ処理において１０ＧｂＥ装置内光ファイバそれぞれに１対１に対応付けたＰＣＳレーン番号に該当するＰＣＳレーン番号であるか否かを判定する手段を有することを、主要な特徴としている。
【００１７】
（実施形態の構成例および動作の説明）
次に、本発明に係る波長分割多重光送受信装置の構成例およびその動作の一例について、まず、図１を用いて説明する。図１は、本発明に係る波長分割多重光送受信装置の装置構成の一例を示す構成図である。なお、以下の実施形態の説明においては、１０Ｎ  ＧｂＥ光信号として、Ｎ＝１０の場合、つまり、１００ＧｂＥ光信号を送受信する１００ＧｂＥ波長分割多重光送受信装置の場合を例にとって説明する。
【００１８】
図１に示す波長分割多重光送受信装置は、１個の１００ＧｂＥ＜−＞１０ＧｂＥ変換部１００と１０個の１０ＧｂＥ波長変換部＃１  １２０,…，１０ＧｂＥ波長変換部＃１０  １２９とを含んで構成されている。
【００１９】
１００ＧｂＥ＜−＞１０ＧｂＥ変換部１００は、前段のクライアント装置２００との間で１００ＧｂＥ光信号を送受信する。また、１００ＧｂＥ＜−＞１０ＧｂＥ変換部１００と１０個の１０ＧｂＥ波長変換部＃１  １２０,…，１０ＧｂＥ波長変換部＃１０  １２９のそれぞれとは、１０本の１０ＧｂＥ装置内光ファイバ＃１  １４０Ａ，…，１０ＧｂＥ装置内光ファイバ＃１０  １４９Ａによって接続して、１０ＧｂＥ光信号＃１  １４０，…，１０ＧｂＥ光信号＃１０  １４９それぞれを送受信する。また、１０個の１０ＧｂＥ波長変換部＃１  １２０,…，１０ＧｂＥ波長変換部＃１０  １２９は、対向装置（対向する波長分割多重光送受信装置）との間で、１０本の装置間光ファイバすなわちＷＤＭ（Wavelength Division Multiplexing：波長分割多重）伝送路それぞれを介して、１０個のＷＤＭ用光信号＃１  １５０，…，ＷＤＭ用光信号＃１０  １５９を送受信している。
【００２０】
また、１００ＧｂＥ＜−＞１０ＧｂＥ変換部１００は、１００ＧｂＥ光信号と１０個の１０ＧｂＥ電気信号との間の光電変換を行う１００ＧｂＥ光トランシーバ１０１、１００ＧｂＥ光トランシーバ１０１からの１０個の１０ＧｂＥ電気信号を、２０個のＰＣＳ（Physical Coding Sublayer）レーン信号への振分処理を行い、それぞれにあらかじめ割り当てられているＰＣＳレーン番号を付した１０個の１０ＧｂＥ信号を生成する１００ＧｂＥ送信側ＰＣＳ処理部１０２、１０個の１０ＧｂＥ光トランシーバ＃１  １１０，…，１０ＧｂＥ光トランシーバ＃１０  １１９それぞれからの１０ＧｂＥ信号を受信してＰＣＳレーン番号に基づいて各ＰＣＳレーン信号に対応した受信処理を施して整列した１０個の１０ＧｂＥ電気信号を生成して１００ＧｂＥ光トランシーバ１０１に出力する１００ＧｂＥ受信側ＰＣＳ処理部１０３、１０個の１０ＧｂＥ光信号と電気信号との間のそれぞれの光電変換を行う１０個の１０ＧｂＥ光トランシーバ＃１  １１０，…，１０ＧｂＥ光トランシーバ＃１０  １１９を備えている。
【００２１】
また、１０ＧｂＥ波長変換部＃１  １２０は、１０ＧｂＥ光信号と電気信号との間の光電変換を行う１０ＧｂＥ光トランシーバ１２０ａ、１０ＧｂＥ電気信号の誤り訂正符号の符号化・復号化を行う誤り訂正符号化・復号化部（ＦＥＣ  ＣＯＤＥＣ）１２０ｂ、波長分割多重（ＷＤＭ：Wavelength Division Multiplexing。以下、ＷＤＭと略記する）用光信号と電気信号との間の光電変換を行う波長変換用光トランシーバ（λ１）１２０ｃを備えている。残りの９個の１０ＧｂＥ波長変換部＃２  １２１,…，１０ＧｂＥ波長変換部＃１０  １２９についても、１０ＧｂＥ波長変換部＃１  １２０と同様の回路構成を備えている。
【００２２】
最初に、クライアント装置２００→対向装置（対向する波長分割多重光送受信装置）方向の送信側の信号処理について説明する。クライアント装置２００からの１００ＧｂＥ光信号１３０を受信した１００ＧｂＥ＜−＞１０ＧｂＥ変換部１００においては、受信した１００ＧｂＥ光信号１３０を１００ＧｂＥ光トランシーバ１０１において１０個の１０ＧｂＥ電気信号に変換する。しかる後、１０個の変換した１０ＧｂＥ電気信号を、１００ＧｂＥ送信側ＰＣＳ処理部１０２において、６４Ｂ／６６Ｂ符号をそのまま用いて６６ビット毎のブロックにして２０本のＰＣＳ（Physical Coding Sublayer）レーン信号に振り分けるとともに、１００ＧｂＥ信号を構成する２０個のＰＣＳレーン信号のスキュー差を吸収して、ＰＣＳレーン信号の整列を行い、２０個のＰＣＳレーン信号に対して、２個ずつ６６Ｂブロック多重を行うことにより、１個ずつの１０ＧｂＥ電気信号を生成し、合計１０個の１０ＧｂＥ電気信号を生成する。
【００２３】
ここで、１００ＧｂＥ送信側ＰＣＳ処理部１０２においては、１０本の１０ＧｂＥ装置内光ファイバ＃１  １４０Ａ，…，１０ＧｂＥ装置内光ファイバ＃１０  １４９Ａに対応する各１０ＧｂＥ電気信号すなわち１０ＧｂＥ光信号＃１  １４０，…，１０ＧｂＥ光信号＃１０  １４９それぞれに対応する各１０ＧｂＥ電気信号（２個ずつのＰＣＳレーン信号をブロック多重した信号）それぞれに対して、２０個のＰＣＳレーン番号のうちあらかじめ定めた固有のＰＣＳレーン番号を２個ずつ割り当てることとする。例えば、ＰＣＳレーン番号'０'および'１'の２個を１０ＧｂＥ装置内光ファイバ＃１  １４０Ａに送信する１０ＧｂＥ光信号＃１  １４０に該当する１０ＧｂＥ電気信号に対して割り当て、…、最後のＰＣＳレーン番号'１８'および'１９'の２個を１０ＧｂＥ装置内光ファイバ＃１０  １４９Ａに送信する１０ＧｂＥ光信号＃１０  １４９に該当する１０ＧｂＥ電気信号に対して割り当てることとする。
【００２４】
１００ＧｂＥ送信側ＰＣＳ処理部１０２において生成された１０個の１０ＧｂＥ電気信号は、１０個の１０ＧｂＥ光トランシーバ＃１  １１０，…，１０ＧｂＥ光トランシーバ＃１０  １１９それぞれによって、１０個の１０ＧｂＥ光信号すなわち１０ＧｂＥ光信号＃１  １４０，…，１０ＧｂＥ光信号＃１０  １４９に変換されて、１０本の１０ＧｂＥ装置内光ファイバ＃１  １４０Ａ，…，１０ＧｂＥ装置内光ファイバ＃１０  １４９Ａそれぞれを介して、１０個の１０ＧｂＥ波長変換部＃１  １２０,…，１０ＧｂＥ波長変換部＃１０  １２９それぞれに送出される。
【００２５】
１０個の１０ＧｂＥ波長変換部＃１  １２０,…，１０ＧｂＥ波長変換部＃１０  １２９それぞれにおいては、受け取った１０個の１０ＧｂＥ光信号＃１  １４０，…，１０ＧｂＥ光信号＃１０  １４９それぞれを、１０個のＷＤＭ用光信号＃１  １５０，…，ＷＤＭ用光信号＃１０  １５９それぞれに波長変換して、１０本の装置間光ファイバすなわちＷＤＭ伝送路を介して、対向装置に送信する処理を行う。
【００２６】
すなわち、１０個の１０ＧｂＥ波長変換部＃１  １２０,…，１０ＧｂＥ波長変換部＃１０  １２９のうち、例えば、１０ＧｂＥ波長変換部＃１  １２０においては、受信した１０ＧｂＥ光信号＃１  １４０を１０ＧｂＥ光トランシーバ１２０ａにより電気信号に変換する。変換した電気信号は、誤り訂正符号化・復号化部１２０ｂにおいて誤り訂正符号の符号化が行われた後、波長変換用光トランシーバ１２０ｃによりＷＤＭ波長グリッド（λ１）に適合したＷＤＭ光信号＃１  １５０に波長変換されて、装置間光ファイバすなわちＷＤＭ伝送路に送信される。
【００２７】
残りの９個の１０ＧｂＥ波長変換部＃２  １２１,…，１０ＧｂＥ波長変換部＃１０  １２９においても同様であり、受信した１０ＧｂＥ光信号＃２  １４１，…，１０ＧｂＥ光信号＃１０  １４９それぞれに対応する電気信号に変換した後に、それぞれの電気信号に関する誤り訂正符号の符号化が行われた後、それぞれに該当するＷＤＭ波長グリッド（λ２，…，λ１０）に適合したＷＤＭ光信号＃２  １５１，…,ＷＤＭ光信号＃１０  １５９に波長変換されて、それぞれの装置間光ファイバすなわちＷＤＭ伝送路に送信される。
【００２８】
次に、対向装置（対向する波長分割多重光送受信装置）→クライアント装置２００方向の受信側の信号処理について説明する。１０個の１０ＧｂＥ波長変換部＃１  １２０,…，１０ＧｂＥ波長変換部＃１０  １２９それぞれにおいては、１０本の装置間光ファイバすなわちＷＤＭ伝送路それぞれを介して対向装置から送信されてきた１０個のＷＤＭ用光信号＃１  １５０，…，ＷＤＭ用光信号＃１０  １５９を１０個の１０ＧｂＥ光信号に変換して、１０本の１０ＧｂＥ装置内光ファイバ＃１  １４０Ａ，…，１０ＧｂＥ装置内光ファイバ＃１０  １４９Ａそれぞれに送信する処理を行う。
【００２９】
すなわち、１０個の１０ＧｂＥ波長変換部＃１  １２０,…，１０ＧｂＥ波長変換部＃１０  １２９のうち、例えば、１０ＧｂＥ波長変換部＃１  １２０においては、受信したＷＤＭ用光信号＃１  １５０を波長変換用光トランシーバ１２０ｃにより電気信号に変換する。変換した電気信号は、誤り訂正符号化・復号化部１２０ｂにおいて誤り訂正符号の復号化が行われた後、１０ＧｂＥ光トランシーバ１２０ａにより１０ＧｂＥ光信号＃１  １４０に変換されて、１０ＧｂＥ装置内光ファイバ＃１  １４０Ａに送出される。
【００３０】
残りの９個の１０ＧｂＥ波長変換部＃２  １２１,…，１０ＧｂＥ波長変換部＃１０  １２９においても同様であり、受信したＷＤＭ用光信号＃２  １５１，…，ＷＤＭ用光信号＃１０  １５９それぞれに対応する電気信号に変換した後に、それぞれの電気信号に関する誤り訂正符号の復号化が行われた後、それぞれに該当する１０ＧｂＥ光信号＃２  １４１，…,１０ＧｂＥ光信号＃１０  １４９に変換されて、それぞれの１０ＧｂＥ装置内光ファイバすなわち１０ＧｂＥ装置内光ファイバ＃２  １４１Ａ，…，１０ＧｂＥ装置内光ファイバ＃１０  １４９Ａに送出される。
【００３１】
１０本の１０ＧｂＥ装置内光ファイバ＃１  １４０Ａ，…，１０ＧｂＥ装置内光ファイバ＃１０  １４９Ａそれぞれからの１０個の１０ＧｂＥ光信号＃１  １４０，…,１０ＧｂＥ光信号＃１０  １４９を受信した１００ＧｂＥ＜−＞１０ＧｂＥ変換部１００においては、受信した１０個の１０ＧｂＥ光信号＃１  １４０，…,１０ＧｂＥ光信号＃１０  １４９を、１０個の１０ＧｂＥ光トランシーバ１１０，…，１１９それぞれにおいて電気信号に変換する。しかる後、変換した電気信号は、１００ＧｂＥ受信側ＰＣＳ処理部１０３において、６４Ｂ／６６Ｂ符号をそのまま用いた６６ビット毎のブロックとして合計２０個のＰＣＳレーン信号に振り分けられていた信号に関する受信処理を行うとともに、１００ＧｂＥ信号を構成するための合計２０個のＰＣＳレーン信号のスキュー差を吸収する。
【００３２】
ここで、該スキュー差の吸収処理（デスキュー）を行う際に、１０ＧｂＥ光信号＃１  １４０，…，１０ＧｂＥ光信号＃１０  １４９それぞれに対応する各１０ＧｂＥ電気信号それぞれに付されているＰＣＳレーン番号が、１００ＧｂＥ送信側ＰＣＳ処理部１０２においてあらかじめ割り当てておいた固有のＰＣＳレーン番号に該当するＰＣＳレーン番号であるか否かを確認する。つまり、１０ＧｂＥ装置内光ファイバ＃１  １４０Ａ，…，１０ＧｂＥ装置内光ファイバ＃１０  １４９Ａそれぞれを介して受信した１０ＧｂＥ光信号＃１  １４０，…，１０ＧｂＥ光信号＃１０  １４９それぞれが、１００ＧｂＥ送信側ＰＣＳ処理部１０２においてあらかじめ取り決めていた１０ＧｂＥ装置内光ファイバを介して送信されてきたものか否かを確認する。
【００３３】
前述したように、１００ＧｂＥ送信側ＰＣＳ処理部１０２においては、例えば、ＰＣＳレーン番号'０'および'１'の２個は、１０ＧｂＥ装置内光ファイバ＃１  １４０Ａに送信する１０ＧｂＥ光信号＃１  １４０に対応する１０ＧｂＥ電気信号に割り当てられており、…、最後のＰＣＳレーン番号'１８'および'１９'の２個は、１０ＧｂＥ装置内光ファイバ＃１０  １４９Ａに送信する１０ＧｂＥ光信号＃１０  １４９に１０ＧｂＥ電気信号に割り当てられている。
【００３４】
したがって、１００ＧｂＥ受信側ＰＣＳ処理部１０３においては、例えば、ＰＣＳレーン番号'０'および'１'の２個を１００ＧｂＥ送信側ＰＣＳ処理部１０２においてあらかじめ割り当てていた１０ＧｂＥ装置内光ファイバ＃１  １４０Ａを介して受信した１０ＧｂＥ光信号＃１  １４０に対応する１０ＧｂＥ電気信号について、ＰＣＳレーン番号'０'および'１'の２個が付されていた場合には、正常な装置間光ファイバ（ＷＤＭ伝送路）および１０ＧｂＥ装置内光ファイバを経由して受信した１０ＧｂＥ光信号＃１  １４０に該当する１０ＧｂＥ電気信号であるものと判定する。一方、'０'および'１'とは異なるＰＣＳレーン番号が付されていた場合には、誤った装置間光ファイバ（ＷＤＭ伝送路）または１０ＧｂＥ装置内光ファイバを経由して受信している場合であって、装置間光ファイバ（ＷＤＭ伝送路）または１０ＧｂＥ装置内光ファイバの接続が誤っているものと判定し、光ファイバ誤接続の旨を示す警報を発出する。
【００３５】
かくのごときＰＣＳレーン番号の一致チェックに基づく装置間光ファイバ（ＷＤＭ伝送路）および１０ＧｂＥ装置内光ファイバの接続正常性確認を行った後、各ＰＣＳレーンのスキュー差の吸収（デスキュー）を行って、ＰＣＳレーン信号の整列を行い、１０個の１０ＧｂＥ電気信号を生成する。生成した１０個の１０ＧｂＥ電気信号は、１００ＧｂＥ光トランシーバ１０１により１００ＧｂＥ光信号１３０に変換されて、クライアント装置２００に送信される。
【００３６】
次に、１００ＧｂＥ＜−＞１０ＧｂＥ変換部１００の１００ＧｂＥ送信側ＰＣＳ処理部１０２および１００ＧｂＥ受信側ＰＣＳ処理部１０３の内部構成について、その一例を、図２を用いて説明する。図２は、図１に示す波長分割多重光送受信装置における１００ＧｂＥ＜−＞１０ＧｂＥ変換部１００の１００ＧｂＥ送信側ＰＣＳ処理部１０２および１００ＧｂＥ受信側ＰＣＳ処理部１０３の内部構成の一例を示すブロック構成図であり、図２の上側は１００ＧｂＥ送信側ＰＣＳ処理部１０２のブロック構成例を示し、図２の下側は１００ＧｂＥ受信側ＰＣＳ処理部１０３のブロック構成例を示している。
【００３７】
図２において、１００ＧｂＥ送信側ＰＣＳ処理部１０２は、１：２ＳＰ変換部２０１、６６Ｂブロック同期部２０２、アラインメント・マーカ検出部２０３、スキュー調整部２０４、ＰＣＳレーン整列部２０５、ＰＣＳレーン振り分け部２０６、２：１ＰＳ変換部２０７を少なくとも備えて構成され、１００ＧｂＥ受信側ＰＣＳ処理部１０３は、１：２ＳＰ変換部２１１、６６Ｂブロック同期部２１２、アラインメント・マーカ検出部２１３、ＰＣＳレーン番号一致検出部２１４、スキュー調整部２１５、ＰＣＳレーン整列部２１６、２：１ＰＳ変換部２１７を少なくとも備えて構成されている。
【００３８】
まず、１００ＧｂＥ送信側ＰＣＳ処理部１０２の内部構成例について説明する。１００ＧｂＥ信号は、１００ＧｂＥ光トランシーバ１０１から１０.３１２５Ｇｂｐｓ電気信号×１０個として入力され、１:２ＳＰ変換部２０１において、５.１５６２５Ｇｂｐｓ信号×２０個に変換される。このとき、２０個の５.１５６２５Ｇｂｐｓ信号は、それぞれ、１個ずつのＰＣＳレーン信号となり、合計２０個のＰＣＳレーン信号が形成されることになる。
【００３９】
２０個のＰＣＳレーン信号のそれぞれは、６６Ｂブロック同期部２０２において、６４Ｂ／６６Ｂ符号の先頭位置（つまり６４Ｂ／６６Ｂ符号のＳｙｎｃ  Ｈｅａｄｅｒ位置）の検出が行われる。２０個のＰＣＳレーン信号のそれぞれの６４Ｂ／６６Ｂ符号の先頭位置が検出されると、アラインメント・マーカ検出部２０３において、２０個のＰＣＳレーン信号のＰＣＳレーン番号およびＰＣＳレーン間の位相をそれぞれ比較することにより、各ＰＣＳレーン信号間のスキュー差を検出する。
【００４０】
各ＰＣＳレーン信号間のスキュー差を検出すると、スキュー調整部２０４において、２０個のＰＣＳレーン信号それぞれのスキュー差に応じた遅延を各ＰＣＳレーン信号に対して挿入することにより、２０個のＰＣＳレーン信号間のスキュー差をゼロにして、スキュー差を解消する。
【００４１】
２０個のＰＣＳレーン信号間のスキュー差をゼロとした後、ＰＣＳレーン整列部２０５において、２０個のＰＣＳレーン信号を、ＰＣＳレーン番号の順番に整列することにより、論理的に、１００ＧｂＥ信号のシリアル化を行う。
【００４２】
論理的なシリアル化を行った２０個のＰＣＳレーン信号について、シリアル化したＰＣＳレーン番号順に２個ずつ纏めて、ＰＣＳレーン振り分け部２０６において、６４Ｂ／６６Ｂ符号単位の多重化を行う。このとき、２０個のＰＣＳレーン番号が１０個の１０.３１２５Ｇｂｐｓ信号と１:１の対応となるように、例えば、ＰＣＳレーン番号の'０'と'１'とは、１０.３１２５Ｇｂｐｓ信号の第１番目とし、ＰＣＳレーン番号の最後の'１８'と'１９'とは、１０.３１２５Ｇｂｐｓ信号の第１０番目とする等のルールをあらかじめ設けている。多重化した信号は、２:１ＳＰ変換部２０７において、それぞれ、１０.３１２５Ｇｂｐｓ信号とされ、第１番目から第１０番目までの合計１０個の１０.３１２５Ｇｂｐｓ信号として生成された後、後段の１０個の１０ＧｂＥ光トランシーバ＃１  １１０，…，１０ＧｂＥ光トランシーバ＃１０  １１９それぞれに出力される。
【００４３】
次に、１００ＧｂＥ受信側ＰＣＳ処理部１０３の内部構成例について説明する。１０個の１０ＧｂＥ光トランシーバ＃１  １１０，…，１０ＧｂＥ光トランシーバ＃１０  １１９それぞれから送信されてきた１０個の１０.３１２５Ｇｂｐｓ電気信号は、１:２ＳＰ変換部２１１において、５.１５６２５Ｇｂｐｓ信号×２０個に変換される。このとき、２０個の５.１５６２５Ｇｂｐｓ信号は、それぞれ、１個ずつのＰＣＳレーン信号となり、合計２０個のＰＣＳレーン信号が形成されることになる。
【００４４】
２０個のＰＣＳレーン信号のそれぞれは、６６Ｂブロック同期部２１２において、６４Ｂ／６６Ｂ符号の先頭位置（つまり６４Ｂ／６６Ｂ符号のＳｙｎｃ  Ｈｅａｄｅｒ位置）の検出が行われる。２０個のＰＣＳレーン信号のそれぞれの６４Ｂ／６６Ｂ符号の先頭位置が検出されると、アラインメント・マーカ検出部２１３において、２０個のＰＣＳレーン信号のＰＣＳレーン番号およびＰＣＳレーン間の位相をそれぞれ比較することにより、各ＰＣＳレーン信号間のスキュー差を検出する。
【００４５】
さらに、各ＰＣＳレーン信号間のスキュー差を検出するとともに、検出したＰＣＳレーン番号を基にして、ＰＣＳレーン番号一致検出部２１４において、１００ＧｂＥ送信側ＰＣＳ処理部１０２のＰＣＳレーン振り分け部２０６において１対１に対応付けて割り当てた１０.３１２５Ｇｂｐｓ信号から得られるはずのＰＣＳレーン番号であるか否かをチェックする。チェック結果が不一致となった場合、例えば、第１番目の１０.３１２５Ｇｂｐｓ信号から得られるはずのＰＣＳレーン番号が、'０'および'１'ではなく、'１８'および'１９'であった場合には、不一致の旨を示す警報を発出し、すなわち、１０ＧｂＥ装置内光ファイバまたは装置間光ファイバ（ＷＤＭ伝送路）の接続が誤っているものと判定し、１０ＧｂＥ装置内光ファイバまたは装置間光ファイバ（ＷＤＭ伝送路）の光ファイバ誤接続の旨を示す警報を発出し、保守者へ通知する。
【００４６】
２０個のＰＣＳレーン信号それぞれに該当する１０個の１０.３１２５Ｇｂｐｓ信号に関するＰＣＳレーン番号の一致判定を行った後、スキュー調整部２１５において、２０個のＰＣＳレーン信号それぞれのスキュー差に応じた遅延を各ＰＣＳレーン信号に対して挿入することにより、２０個のＰＣＳレーン信号間のスキュー差をゼロにして、スキュー差を解消する。
【００４７】
２０個のＰＣＳレーン信号間のスキュー差をゼロとした後、ＰＣＳレーン整列部２１６において、２０個のＰＣＳレーン信号を、ＰＣＳレーン番号の順番に整列することにより、論理的に、１００ＧｂＥ信号のシリアル化を行う。
【００４８】
しかる後、論理的なシリアル化を行った２０個のＰＣＳレーン信号について、２:１ＳＰ変換部２１７において、シリアル化したＰＣＳレーン番号順に２個ずつ纏めて、１０.３１２５Ｇｂｐｓ信号それぞれに変換することにより、合計１０個の１０.３１２５Ｇｂｐｓ信号に変換されて、後段の１００ＧｂＥ光トランシーバ１０１に出力される。
【００４９】
以上のように、ＰＣＳレーン信号の信号処理レベルにおいて、１００ＧｂＥ信号を構成する２０個のＰＣＳレーン信号のＰＣＳレーン番号と、１０ＧｂＥ装置内光ファイバおよび装置間光ファイバ（ＷＤＭ伝送路）との対応付けを行うことによって、１０ＧｂＥ装置内光ファイバおよび装置間光ファイバ（ＷＤＭ伝送路）の接続の正常性を容易に確認することを可能にし、１０ＧｂＥ装置内光ファイバまたは装置間光ファイバ（ＷＤＭ伝送路）の誤接続が検出された場合に、その旨の警報を保守者に対して発出するようにしている。
【００５０】
つまり、１００ＧｂＥ送信側ＰＣＳ処理部１０２のＰＣＳレーン振り分け部２０６においては、１００ＧｂＥ信号を構成する２０個のＰＣＳレーン信号のうちの２個のＰＣＳレーン信号と、１０本の１０ＧｂＥ装置内光ファイバ（すなわち、１００ＧｂＥ＜−＞１０ＧｂＥ変換部１００と１０個の１０ＧｂＥ波長変換部＃１  １２０,…，１０ＧｂＥ波長変換部＃１０  １２９それぞれとの間を接続する１０本の１０ＧｂＥ装置内光ファイバ＃１  １４０Ａ，…，１０ＧｂＥ装置内光ファイバ＃１０  １４９Ａ）のうちの１本の１０ＧｂＥ装置内光ファイバとを、それぞれ、ＰＣＳレーン番号によって、１対１に対応付けて、２０個のＰＣＳレーン信号を、２個ずつ、１０本の１０ＧｂＥ装置内光ファイバそれぞれに振り分けるようにしている。
【００５１】
一方、１００ＧｂＥ受信側ＰＣＳ処理部１０３のＰＣＳレーン番号一致検出部２１４においては、１０個の１０ＧｂＥ波長変換部＃１  １２０,…，１０ＧｂＥ波長変換部＃１０  １２９から１０本の１０ＧｂＥ装置内光ファイバそれぞれを介して受信した１０個の１０ＧｂＥ信号のそれぞれのＰＣＳレーン番号が、１００ＧｂＥ送信側ＰＣＳ処理部１０２のＰＣＳレーン振り分け部２０６において振り分けたＰＣＳレーン番号に該当するＰＣＳレーン番号を付しているか否かを判定する。受信した１０ＧｂＥ信号それぞれに付されているＰＣＳレーン番号が、ＰＣＳレーン振り分け部２０６において振り分けたＰＣＳレーン番号と一致している場合は、該当する１０ＧｂＥ装置内光ファイバおよび装置間光ファイバは正常な接続状態にあり、不一致の場合は、該当する１０ＧｂＥ装置内光ファイバまたは装置間光ファイバが誤接続されているものとして警報を保守者に対して発出する。
【００５２】
次に、１０本の１０ＧｂＥ装置内光ファイバのいずれかについて、誤接続がなされていた場合の動作について、図３を用いてさらに接続する。図３は、図１に示す波長分割多重光送受信装置における１００ＧｂＥ＜−＞１０ＧｂＥ変換部１００と１０個の１０ＧｂＥ波長変換部＃１  １２０，…，１０ＧｂＥ波長変換部＃１０  １２９との間を接続する１０本の１０ＧｂＥ装置内光ファイバ＃１  １４０Ａ，…，１０ＧｂＥ装置内光ファイバ＃１０  １４９Ａのいずれかに誤接続があった場合の動作の一例を説明するための説明図である。図３においては、１０本の１０ＧｂＥ装置内光ファイバのうち、１００ＧｂＥ＜−＞１０ＧｂＥ変換部１００から第１番目の１０ＧｂＥ波長変換部＃１  １２０への１０ＧｂＥ装置内光ファイバ＃１  １４０Ａの送信用光ファイバと１００ＧｂＥ＜−＞１０ＧｂＥ変換部１００から第１０番目の１０ＧｂＥ波長変換部＃１０  １２９への１０ＧｂＥ装置内光ファイバ＃１０  １４９Ａの送信用光ファイバとが入れ替わった状態で誤接続されている場合を例にとって示している。
【００５３】
なお、図３の説明図においては、当該波長分割多重光送受信装置と対向装置側（相手側）の波長分割多重光送受信装置との間を接続する装置間光ファイバ（ＷＤＭ伝送路）および対向装置側（相手側）の波長分割多重光送受信装置内の１０ＧｂＥ装置内光ファイバは、いずれも正常な状態で接続されているものとする。また、１０.３１２５Ｇｂｐｓ信号とＰＣＳレーン番号との対応は、第１番目の１０.３１２５Ｇｂｐｓ信号に対しては、ＰＣＳレーン番号として'０'と'１'とを割り当て、以下、順次、第２番目、第３番目、…のＰＣＳレーン番号を割り当てていき、最後の第１０番目の１０.３１２５Ｇｂｐｓ信号に対しては、ＰＣＳレーン番号として'１８'と'１９'とを割り当てているものとする。
【００５４】
図３に示すような１０ＧｂＥ装置内光ファイバの誤接続があった場合には、当該波長分割多重光送受信装置からのＷＤＭ用光信号＃１  １５０，…，ＷＤＭ用光信号＃１０  １５９が送信されてくる対向装置側の波長分割多重光送受信装置側の１００ＧｂＥ受信側ＰＣＳ処理部１０３においては、第１番目の１０.３１２５Ｇｂｐｓ信号からはＰＣＳレーン番号として'１８'と'１９'とが検出され、また、第１０番目の１０.３１２５Ｇｂｐｓ信号からはＰＣＳレーン番号として'０'と'１'とが検出されることとなる。したがって、１００ＧｂＥ受信側ＰＣＳ処理部１０３のＰＣＳレーン番号一致検出部２１４におけるＰＣＳレーン番号の一致判定結果として、不一致となり、ＰＣＳレーン番号の不一致警報、つまり、第１番目の装置内光ファイバ＃１  １４０Ａおよび第１０番目の装置内光ファイバ＃１０  １４９Ａの誤接続が検出された旨の警報が発出されることになる。
【００５５】
かくのごとく、図１、図２に示す波長分割多重光送受信装置においては、１００ＧｂＥ＜−＞１０ＧｂＥ変換部１００と１０個の１０ＧｂＥ波長変換部＃１  １２０，…，１０ＧｂＥ波長変換部＃１０  １２９とから構成され、両者の間を１０本の１０ＧｂＥ装置内光ファイバ＃１  １４０Ａ，…，１０ＧｂＥ装置内光ファイバ＃１０  １４９Ａによってそれぞれ接続されている装置構成であって、１００ＧｂＥ送信側ＰＣＳ処理部１０２の送信側ＰＣＳ処理として、１００ＧｂＥ信号を構成する２０個のＰＣＳレーン信号のうちの２個と１０本の１０ＧｂＥ装置内光ファイバのうちの１本とを、ＰＣＳレーン番号に基づいて、１対１に対応付けて振り分け、１００ＧｂＥ受信側ＰＣＳ処理部１０３の受信側ＰＣＳ処理として、１０個の１０ＧｂＥ波長変換部＃１  １２０，…，１０ＧｂＥ波長変換部＃１０  １２９それぞれから１０本の１０ＧｂＥ装置内光ファイバそれぞれを介して受信した１０個の１０ＧｂＥ信号それぞれに付されているＰＣＳレーン番号が、１００ＧｂＥ送信側ＰＣＳ処理部１０２の送信側ＰＣＳ処理において振り分けたはずのＰＣＳレーン番号であるか否かを判定することによって、１０本の１０ＧｂＥ装置内光ファイバおよび装置間光ファイバ（ＷＤＭ伝送路）の接続の正常性を容易に検出することを可能にしている。
【００５６】
なお、図１ないし図３に示す波長分割多重光送受信装置においては、１００ＧｂＥ光信号の送受信を行う場合を示したが、本発明は、かかる場合のみに限るものではなく、例えば、ＩＥＥＥにおいて標準化されようとしている４０ＧｂＥ用の波長分割多重光送受信装置についても、ＰＣＳレーンの本数を１０本から４本に変更する以外は、図１ないし図３の場合と全く同様の構成を採用することによって、１０ＧｂＥ装置内光ファイバおよび装置間光ファイバ（ＷＤＭ伝送路）の誤接続を容易に検出することが可能であることは言うまでもない。
【００５７】
（本実施形態の効果の説明）
以上に詳細に説明したように、本実施形態においては、次のような効果が得られる。すなわち、Ｎ個（Ｎ：正整数）の１０ＧｂＥ波長変換部を用いて１０Ｎ  ＧｂＥ波長分割多重光送受信装置を構成する場合、１０Ｎ  ＧｂＥ光信号を構成する２Ｎ個のＰＣＳレーン（Physical Coding Sublayer）信号それぞれに割り当てられているＰＣＳレーン番号に基づいて２個ずつブロック多重したＰＣＳレーン信号からなるＮ個の１０ＧｂＥ光信号を構成し、かつ、Ｎ個の１０ＧｂＥ光信号それぞれを送受信するＮ本の１０ＧｂＥ装置内光ファイバと、該１０ＧｂＥ装置内光ファイバそれぞれを介して送受信される１０ＧｂＥ光信号それぞれに割り当てたＰＣＳレーン番号との１対１の対応付けを行うことによって、各装置内光ファイバおよび各装置間光ファイバ（ＷＤＭ伝送路）を介して送受信される１０ＧｂＥ光信号および波長分割多重（ＷＤＭ）光信号に付されているＰＣＳレーン番号の照合処理においてＰＣＳレーン番号の不一致が検出されるか否かに基づいて、１０ＧｂＥ装置内光ファイバや装置間光ファイバ(ＷＤＭ伝送路)の誤接続を容易に検出することが可能であり、誤接続が検出された場合、その旨を示す警報を保守者に対して即時に発出することができる。
【００５８】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。
【符号の説明】
【００５９】
１００      １００ＧｂＥ＜−＞１０ＧｂＥ変換部
１０１      １００ＧｂＥ光トランシーバ
１０２      １００ＧｂＥ送信側ＰＣＳ処理部
１０３      １００ＧｂＥ受信側ＰＣＳ処理部
１１０      １０ＧｂＥ光トランシーバ＃１
１１１      １０ＧｂＥ光トランシーバ＃２
１１９      １０ＧｂＥ光トランシーバ＃１０
１２０      １０ＧｂＥ波長変換部＃１
１２０ａ    １０ＧｂＥ光トランシーバ
１２０ｂ    誤り訂正符号化・復号化部（ＦＥＣ  ＣＯＤＥＣ）
１２０ｃ    波長変換用光トランシーバ（λ１）
１２１      １０ＧｂＥ波長変換部＃２
１２９      １０ＧｂＥ波長変換部＃１０
１３０      １００ＧｂＥ光信号
１４０Ａ    １０ＧｂＥ装置内光ファイバ＃１
１４１Ａ    １０ＧｂＥ装置内光ファイバ＃２
１４９Ａ    １０ＧｂＥ装置内光ファイバ＃１０
１４０      １０ＧｂＥ光信号＃１
１４１      １０ＧｂＥ光信号＃２
１４９      １０ＧｂＥ光信号＃１０
１５０      ＷＤＭ用光信号＃１
１５１      ＷＤＭ用光信号＃２
１５９      ＷＤＭ用光信号＃１０
２００      クライアント装置
２０１      １：２ＳＰ変換部
２０２      ６６Ｂブロック同期部
２０３      アラインメント・マーカ検出部
２０４      スキュー調整部
２０５      ＰＣＳレーン整列部
２０６      ＰＣＳレーン振り分け部
２０７      ２：１ＰＳ変換部
２１１      １：２ＳＰ変換部
２１２      ６６Ｂブロック同期部
２１３      アラインメント・マーカ検出部
２１４      ＰＣＳレーン番号一致検出部
２１５      スキュー調整部
２１６      ＰＣＳレーン整列部
２１７      ２：１ＰＳ変換部
【図１】
2012023586.tif 000003
【図２】
2012023586.tif 000004
【図３】
2012023586.tif 000005